(57)【要約】【課題】土砂等が含有することがないように、かつ、簡易にコンクリート吹付け時のはね返り材を回収することを可能とした、はね返り材回収装置および吹付け工法を提案する。【解決手段】本体部３１から延びる２本以上のアーム３７，３７と、アーム３７，３７に保持された回収シート３８と、を備えるはね返り材回収装置３を吹付け対象箇所と吹付け機４との間に配設し、吹付け対象箇所の下部に回収シート３８を広げた状態で回収シート３８の上方に配設された吹付けノズル４１から吹付け対象箇所に吹付け材を吹き付けるとともに、回収シート３８に落下したはね返り材を回収する。【選択図】図５
2017227094.tif 000002
【特許請求の範囲】
【請求項１】
コンクリート吹付け時のはね返り材を回収するはね返り材回収装置であって、
本体部と、受部とを備えており、
前記受部は、前記本体部から延びる２本以上のアームと、前記アームに保持された回収シートと、を備えていることを特徴とする、はね返り材回収装置。
【請求項２】
前記アームは、可動式であり、かつ、伸縮または折り畳み可能であることを特徴とする、請求項１に記載のはね返り材回収装置。
【請求項３】
自走手段を備えていることを特徴とする、請求項１または請求項２に記載のはね返り材回収装置。
【請求項４】
吹付け対象箇所の下部に回収シートを広げる作業と、
前記回収シートの上方に配設された吹付けノズルから前記吹付け対象箇所に吹付け材を吹き付ける作業と、
前記回収シートに落下したはね返り材を回収する作業と、を備えることを特徴とする吹付け工法。
【発明の詳細な説明】
【技術分野】
【０００１】
本発明は、はね返り材回収装置および吹付け工法に関する。
【背景技術】
【０００２】
ＮＡＴＭ等の山岳トンネル工法では、掘削により露出した地山面に吹付けコンクリートを吹き付けることで地山の崩落を防止するのが一般的である。吹付けコンクリートは、コンクリートポンプにより圧送されたコンクリートを、急結剤と混合するとともに地山面に吹付ける。
吹付けコンクリートを施工する際には、吹付け材の一部が吹付け対象面（地山面）に付着せずに落下してしまう（以下、単に「リバウンド」という）。そのため、吹付けコンクリートを施工する際には、リバウンドを考慮して、吹付け材を多めに吹付ける必要がある。
【０００３】
リバウンド量が多いと、施工の手間や材料費が増加するため、吹付け材のリバウンド量の低減化を図る技術が多数開発されている。
例えば、特許文献１では、吹付けコンクリートの初期の付着強度を上げることで吹付け材のリバウンド率を低下させる吹付けコンクリート製造装置が開示されている。
また、特許文献２には、吹付け材の粉体材料を改良することで、吹付け材のリバウンド量の低減化を図った技術が開示されている。
ところが、特許文献１の吹付けコンクリート製造装置や特許文献２の吹付け材を採用した場合であっても、吹付け材のリバウンドは発生する。
リバウンドにより発生したはね返り材を回収し、再生材として使用すれば、材料費の低減化およびＣＯ２排出量の低減化につながる。
【先行技術文献】
【特許文献】
【０００４】
【特許文献１】特開２０１２−２３３３００号公報
【特許文献２】特開２００４−３２３３５６号公報
【発明の概要】
【発明が解決しようとする課題】
【０００５】
はね返り材を回収する際には、底面（吹付け対象面の下部）に落下したものを回収するのが一般的であるが、地面に落下したはね返り材には土砂等が混合されてしまう。また、地面に落下したはね返り材は、大型のものしか回収していなかった。また、予め底面にシート（ブルーシート等）を敷設しておくことで、土砂と混合されることを防止することも考えられるが、シートを敷設する作業に手間がかかる。また、シートの有無に関わらず、底面（地面）に落下したはね返り材を回収する作業自体に手間がかかる。
そのため、本発明は、土砂等が含有することがないように、かつ、簡易にコンクリート吹付け時のはね返り材を回収することを可能とした、はね返り材回収装置および吹付け工法を提案することを課題とする。
【課題を解決するための手段】
【０００６】
前記課題を解決するために、本発明は、コンクリート吹付け時のはね返り材を回収するはね返り材回収装置であって、本体部と受部とを備えており、前記受部は、前記本体部から延びる２本以上のアームと前記アームに保持された回収シートとを備えていることを特徴としている。
かかるはね返り材回収装置によれば、コンクリート吹付け時に発生するはね返り材を効率的に回収することができる。すなわち、吹付け対象面から落下したはね返り材を直接的に回収シートによって受け止めるため、底面等に落下したはね返り材を回収する場合に比べて簡易、かつ、確実に回収することができる。また、回収したはね返り材には土砂等の不純物が含有されることがないため、再生材として使用する際に、不純物を除去する手間を省略あるいは簡素化することができる。
【０００７】
前記アームは、可動式で、かつ、伸縮または折り畳み可能なものが望ましい。かかるはね返り材回収装置によれば、トンネルの断面形状等に応じて、回収シートを広げる大きさを調整することができる。また、アームを収縮あるいは折り畳むことで、移動時にアームが邪魔になることもない。
また、前記はね返り材回収装置は、自走手段を備えているのが望ましい。かかるはね返り材回収装置によれば、施工時の位置決めや、掘削時に退避する際の手間を低減することができる。
【０００８】
また、本発明の吹付け工法は、吹付け対象箇所の下部に回収シートを広げる作業と、前記回収シートの上方に配設された吹付けノズルから前記吹付け対象箇所に吹付け材を吹き付ける作業と、前記回収シートに落下したはね返り材を回収する作業とを備えることを特徴としている。
かかる吹付け工法によれば、吹付け時に発生するはね返り材が回収シート上に落下するため、地盤に落下したはね返り材を回収する場合に比べて、簡易かつ効率的にはね返り材を回収することができる。また、吹付け対象箇所から落下したはね返り材を直接的に回収するため、はね返り材を再生骨材として使用する際に、土砂等の不純物を除去する手間を省略することができる。
【図面の簡単な説明】
【０００９】
【図１】（ａ）は本発明の実施形態に係るトンネルを示す横断図、（ｂ）は同トンネルの支保工の一部を示す縦断図である。
【図２】本発明の実施形態に係るトンネル施工方法の各手順を示すフローチャート図である。
【図３】（ａ）および（ｂ）は吹付けコンクリートの施工状況を示す模式図である。
【図４】はね返り材回収装置の使用状況を示す縦断図である。
【図５】はね返り材回収装置の使用状況を示す平面図である。
【発明を実施するための形態】
【００１０】
本実施形態では、図１（ａ）に示す山岳トンネル（トンネル１）を例にして、吹付けコンクリート２１のはね返り材を回収し、骨材として再利用するトンネル施工方法について説明する。トンネル施工方法には、はね返り材回収装置を利用してはね返り材の回収する吹付け工法が含まれている。
本実施形態のトンネル施工方法は、図２に示すように、掘削工程Ｓ１、支保工程Ｓ２、回収工程Ｓ３、骨材製造工程Ｓ４、分離選別工程Ｓ５、吸水貯蔵工程Ｓ６および材料製造工程Ｓ７を備えている。
【００１１】
掘削工程Ｓ１は、地山を掘削して切羽を前進させる工程である。本実施形態では発破工法によりトンネルを掘削する。なお、トンネル１の掘削工法は限定されるものではなく、例えば、機械掘削工法を採用してもよい。
地山の掘削により発生した掘削ずりは、トンネル坑外へ搬出する。なお、掘削ずりの搬出方法は限定されるものではなく、例えば、ダンプトラックやベルトコンベアを使用すればよい。
【００１２】
支保工程Ｓ２は、トンネル１の掘削により露出した地山を支保工２により閉塞する工程である。本実施形態の支保工２は、図１（ｂ）に示すように、吹付けコンクリート２１、鋼製支保工２２およびロックボルト２３を備えている。なお、トンネル１の支保構造は限定されるものではなく、地山状況やトンネル１の断面形状等に応じて適宜決定する。例えば、必要に応じて補助工法を採用してもよい。また、本実施形態では、切羽に対して鏡吹付けを行う。
【００１３】
支保工２は、地山の掘削により露出した地山（切羽１１またはトンネル内周面１２）に対して吹付けコンクリート（吹付け材）２１を吹き付けるとともに、鋼製支保工２２の建込およびロックボルト２３の打設を行うことにより形成する。鋼製支保工２２は、前回の施工サイクルで建て込まれた鋼製支保工２２から所定の間隔をあけて建て込む。本実施形態の鋼製支保工２２は馬蹄形状を呈している。なお、鋼製支保工２２の形状は限定されるものではなく、例えばリング状であってもよい。ロックボルト２３の打設は、トンネル１の周囲の地山に対してロックボルト孔を穿孔し、このロックボルト孔にロックボルト２３を挿入することにより行う。吹付けコンクリート２１の吹付け厚は限定されるものではなく、地山状況等応じて適宜決定する。また、吹付けコンクリート２１は、一次吹付けと二次吹付けに分ける等、複数の層に分けて施工してもよい。
【００１４】
鏡吹付けは、切羽１１に対して吹付けコンクリート（吹付け材）２１を吹き付けるものである。切羽には、必要に応じて鏡ロックボルトを打設してもよい。
吹付けコンクリート２１の施工は、図３（ａ）に示すように、吹付け対象面（切羽１１またはトンネル内周面１２）と吹付け機４との間に、はね返り材回収装置３（回収シート３８）を配置した状態で行う。
【００１５】
回収工程Ｓ３は、吹付けコンクリート２１の施工により発生するはね返り材ＣＨを回収する工程である。すなわち、回収工程Ｓ３は支保工程Ｓ２とともに実施する（吹付け工法）。
はね返り材ＣＨの回収には、はね返り材回収装置３を利用する。はね返り材回収装置３は、吹付け対象面（切羽１１またはトンネル内周面１２）と吹付け機４との間に回収シート３８を配設しておくことにより、吹付けコンクリート２１の吹付け時に生じるはね返り材を直接受け止める。
【００１６】
本実施形態のはね返り材回収装置３は、図４に示すように、クローラダンプ（自走手段）５に上載されている。すなわち、はね返り材回収装置３は、移動可能に構成されている。はね返り材回収装置３は、クローラダンプ５に固定された本体部３１と、本体部３１に支持された受部３２とを備えている。なお、はね返り材回収装置３を移動可能に支持する自走手段は、クローラダンプ５に限定されるものではなく、例えばダンプトラックであってもよい。また、はね返り材回収装置３は、必ずしも自走手段（クローラダンプ５）に上載されている必要はない。また、本体部３１が自走手段を備えていてもよい。
【００１７】
本体部３１は、基部３３と回転部３４とを備えている。基部３３は、クローラダンプ５に固定された部分である。回転部３４は、基部３３に対して、縦軸（基部３３の上面に垂直な軸）を中心に回転可能に取り付けられている。回転部３４は、回収容器３５を備えている。また、基部３３には、駆動手段（モータ）３６が設けられている。本実施形態では、吹付け機４に搭載された発電機（図示せず）から駆動手段３６に電力を供給する。なお、駆動手段３６はモータに限定されるものではなく、例えばエンジンや油圧ポンプであってもよい。また、本体部３１の構成は限定されるものではない。例えば、回収容器３５は必要応じて設ければよく、省略してもよい。
【００１８】
受部３２は、図５に示すように、一対の可動式アーム３７，３７と、一対の可動式アーム３７，３７によって保持された回収シート３８とを備えている。
可動式アーム３７の基端部は、本体部３１に回動可能に取り付けられている。すなわち可動式アーム３７は、上下左右へ回動可能である。また、一対の可動式アーム３７，３７の基端部には回収容器３５が配設されている。可動式アーム３７は、図５に示すように、複数のアーム部材３７ａ，３７ｂ，３７ｃを連結することにより構成されている。アーム部材３７ａ，３７ｂ，３７ｃ同士は、回転可能に連結されている。すなわち、可動式アーム３７は、折り畳み可能に構成されている。可動式アーム３７は、はね返り材回収装置の移動時には折り畳んだ状態とし、はね返り材回収時は伸ばした状態で使用する。なお、可動式アーム３７を構成するアーム部材の数（折れ点）は限定されるものではない。また、アーム３７は、必ずしも可動式である必要はなく、また、必ずしも折り畳み可能に構成されている必要はない。また、可動式アーム３７は、伸縮可能に構成されていてもよい。さらに、受部３２は、３本以上の可動式アーム３７を有していてもよい。
【００１９】
回収シート３８の両側端部は、可動式アーム３７，３７に固定されている。回収シート３８は、折り畳み可能な材質であり、可動式アーム３７を折り畳んだ際（あるいは縮めた際）には折り畳まれ、可動式アーム３７を伸ばした際には広げられる。本実施形態の回収シート３８は、いわゆる帆布により構成されている。なお、回収シート３８を構成する材料は限定されるものではなく、例えば、ゴム系シートやビニールシート等を使用してもよい。また、回収シート３８として網状のシート材を使用してもよい。
【００２０】
本実施形態の回収シート３８の側端部には、複数の貫通孔が形成されている。回収シート３８は、貫通孔を挿通させた紐、ロープ、ゴム紐、結束バンド等を可動式アーム３７に縛り付けることにより、可動式アーム３７に固定されている。なお、回収シート３８の可動式アーム３７への固定方法は限定されるものではなく、例えば、治具を介して固定してもよいし、予め可動式アーム３７に形成されたフックに係止してもよい。
【００２１】
図５に示すように、吹付けコンクリート２１の吹付け時には、回収シート３８を吹付け機の吹付けノズル４１の下方において広げておく。回収シート３８を広げる際には、一対の可動式アーム３７，３７を伸ばすとともに、左右に広げておく。このとき、回収シート３８の先端は、吹付け対象面（切羽１１またはトンネル内周面１２）になるべく近づけておく。回収シート３８は、先端部（吹付け対象面側）が、基端部（本体部３１側）よりも左右の幅（可動式アーム３７同士の間隔）が大きくなるように広げる。
【００２２】
図３（ａ）に示すように、吹付けノズル４１から吹付け対象面（切羽１１またはトンネル内周面１２）に吹き付け材ＣＦを吹き付けると、はね返り材ＣＨが回収シート３８に落下する。回収シート３８の上に落下したはね返り材ＣＨは、回収容器３５へ誘導される。回収したはね返り材ＣＨは、回収容器３５から輸送手段（図示せず）に移し替えて、トンネル坑外の仮置き場ＳＹに搬送する。はね返り材ＣＨの輸送手段は限定されるものではなく、例えば、ダンプトラックＴやベルトコンベアを使用すればよい。なお、はね返り材は、回収シート３８から輸送手段に直接移し替えてもよい。
【００２３】
骨材製造工程Ｓ４は、互いに付着したはね返り材ＣＨを分解して再生骨材Ｇ１を製造する工程である。
はね返り材ＣＨは、急結剤が含有されているため、互いに付着した状態で大きな塊となっている場合が多い。はね返り材ＣＨの分解とは、モルタルペーストを介して互いに付着した塊を骨材として使用し得る大きさに分解することである。このとき、骨材分（砕石や礫等）が破砕されないように行うのが望ましい。本実施形態では、図３（ｂ）に示すように、はね返り材ＣＨの分解に、バックホウアタッチメント式の破砕装置Ｍ２を利用する。仮置き場ＳＹにおいて、バックホウＭ１（破砕装置Ｍ２）によりはね返り材ＣＨをすくった後、破砕装置Ｍ２により分解する。なお、はね返り材ＣＨの分解に使用する装置は限定されるものではなく、例えば、コンクリートクラッシャを使用してもよい。
分解された再生骨材Ｇ１は、表面にモルタルペーストが付着していてもよいし、モルタルペーストがはがれていてもよい。なお、分解された個々の再生骨材Ｇ１には、複数の砂分や礫分等が含まれていてもよい。
【００２４】
分離選別工程Ｓ５は、再生骨材Ｇ１の中から細粒分Ｇ１１の分離選別する工程である。
本実施形態では、水平型振動ふるいＭ３によりふるい分けを行い、細粒分Ｇ１１を分離する。本実施形態では、篩目１３．２ｍｍ〜４．７５ｍｍの範囲内でふるい分けする。なお、篩目は前記の範囲に限定されるものではなく、適宜設定すればよい。
骨材製造工程Ｓ４において製造された再生骨材Ｇ１を水平型振動ふるいＭ３に投入し、細粒分Ｇ１１とその他（以下、「粗粒分」という）Ｇ１２に分離する。なお、再生骨材Ｇ１のふるい分けに使用するふるい機は限定されるものではなく、例えば、傾斜型振動ふるいや横振り式ふるい等を使用してもよい。また、再生骨材Ｇ１は、細粒分Ｇ１１と粗粒分Ｇ１２の２種類に分級する場合に限定されるものではなく、３つ以上のグループに分級してもよい。分級された再生骨材Ｇ１１，Ｇ１２は、それぞれ貯蔵施設に搬送する。
【００２５】
吸水貯蔵工程Ｓ６は、貯蔵施設ＳＳ内に吸水させた再生骨材Ｇ１を貯蔵する工程である。
本実施形態では、再生骨材Ｇ１に吸水させた状態で貯蔵する。貯蔵施設ＳＳに搬送された再生骨材Ｇ１は、細粒分Ｇ１１と粗粒分Ｇ１２に分けた状態で貯蔵する。
なお、吸水貯蔵工程Ｓ６は、必要に応じて実施すればよい。例えば、骨材製造工程Ｓ５において製造された再生骨材Ｇ１を、直接ミキサーに投入する場合には、注水貯蔵工程Ｓ６は省略してもよい。
【００２６】
材料製造工程Ｓ７は、再生骨材Ｇ１をミキサーＭ４に投入し、セメント系固化材Ｃおよび水Ｗと混合してセメント系材料を製造する工程である。
必要な量の再生骨材Ｇ１を貯蔵施設ＳＳから徴収し（取り出し）、セメント系固化材Ｃや水Ｗ等と混合してセメント系材料（吹付け材のベースコンクリート）を製造する。本実施形態では、ベースコンクリートの骨材使用量のうちの５０体積％以下に再生骨材Ｇ１を使用する。なお、セメント系材料の配合は限定されるものではなく、適宜設定すればよい。
材料製造工程Ｓ７において製造されたセメント系材料は、支保工程Ｓ２における鏡吹付けのベースコンクリートとして使用する。なお、セメント系材料は、トンネル内周面１２（側壁や天端等）の吹付け材のベースコンクリートに使用してもよい。
以下、掘削工程Ｓ１〜材料製造工程Ｓ７を繰り返し、所定延長のトンネルを形成する。
【００２７】
本実施形態のはね返り材回収装置３および吹付け工法によれば、吹付けコンクリート２１の施工に伴い発生するはね返り材ＣＨを有効に利用することができる。そのため、はね返り材ＣＨを産業廃棄物として処分する場合の費用や手間を省略することができる。また、はね返り材ＣＨを骨材として使用することで、新たに購入する骨材の量を低減し、ひいては、材料費の低減化を図ることができる。そのため、廃棄物の搬出量および材料の搬入量の低減化により、運搬車両の総台数を減らすことが可能となる。さらに、周辺地域の混雑の回避および運搬車両から排出されるＣＯ２の排出量を低減することで、環境負荷の低減が可能となる。
【００２８】
また、はね返り材回収装置３によりはね返り材ＣＨをほぼ１００％収集することができるため、掘削ずりとはね返り材とが混合されることがない。そのため、掘削ずりを処分または再利用する際に、不純物（はね返り材）を除去する手間や費用を低減することができる。
はね返り材回収装置３は、本体部３１が回転可能に構成されているため、はね返り材回収装置３を移動させることなく、トンネル内周面１２に対する吹付け時と、鏡吹付け時とのはね返り材ＣＨの回収に利用することができる。そのため、各設備機器の配置換えや位置決めに要する手間を低減することができる。
【００２９】
以上、本発明の実施形態について説明したが本発明は、前述の実施形態に限られず、前記の各構成要素については、本発明の趣旨を逸脱しない範囲で、適宜変更が可能である。
例えば、前記実施形態では、トンネル工事においてはね返り材回収装置を使用する場合について説明したが、はね返り材回収装置は、トンネル工事に限らず、あらゆる吹付け工事に使用することができる。例えば、法面吹付けに使用してもよい。
また、回収したはね返り材の用途は、吹付け材（吹付けコンクリート）の骨材に限定されるものではない。例えば、路盤材として使用してもよい。
トンネルの断面形状や断面寸法等は限定されるものではなく、地山状況やトンネルの用途等に応じて適宜決定すればよい。
【符号の説明】
【００３０】
１    トンネル
２    支保工
２１  吹付けコンクリート
３    はね返り材回収装置
３１  本体部
３２  受部
３７  アーム
３８  回収シート
４    吹付け機
４１  吹付けノズル
５    クローラダンプ
【図１】
2017227094.tif 000003
【図２】
2017227094.tif 000004
【図３】
2017227094.tif 000005
【図４】
2017227094.tif 000006
【図５】
2017227094.tif 000007